(57)【要約】【課題】無線タグと無線タグのリーダライタ間で送受信される電力の、ＲＦＩＤチップによる制約を解消する。【解決手段】ＲＦＩＤチップとループアンテナとからなる主ループアンテナと、主ループアンテナの近傍に隣接して形成される副ループアンテナとからなる無線タグアンテナであって、主ループアンテナと副ループアンテナとで構成される共振回路の共振周波数が、ＲＦＩＤチップのチップインピーダンスと主ループアンテナとで構成される共振回路の共振周波数となるよう設計される。【選択図】図１
2010219916.tif 000002
【特許請求の範囲】
【請求項１】
ＲＦＩＤチップとループアンテナとからなる主ループアンテナと、
前記主ループアンテナの近傍に隣接して形成される副ループアンテナと
からなる無線タグアンテナであって、
前記主ループアンテナと前記副ループアンテナとで構成される共振回路の共振周波数が、前記ＲＦＩＤチップのチップインピーダンスと前記主ループアンテナとで構成される共振回路の共振周波数となるよう設計されたことを特徴とする無線タグアンテナ。
【請求項２】
前記副ループアンテナは、１つであることを特徴とする請求項１に記載の無線タグアンテナ。
【請求項３】
前記副ループアンテナは、複数あることを特徴とする請求項１に記載の無線タグアンテナ。
【請求項４】
請求項１乃至３のいずれか１項に記載の無線タグアンテナを有する無線タグインレット。
【発明の詳細な説明】
【技術分野】
【０００１】
本発明は、ＲＦＩＤタグ用の無線タグアンテナおよび無線タグインレットに関する。
【背景技術】
【０００２】
現在、ＲＦＩＤタグの中には、アイテムレベルタグと呼ばれる、小型のタグが提案されている。例えば、米インピンジ社のＵＨＦ帯  ＲＦＩＤチップを用いたタグでは、アンテナとしてループ型アンテナが使用される場合、アンテナパターンとチップインピーダンスとで共振回路を構成するように設計される。このようなタグは、小型化し易く、水に強いなどの特徴がある。ＲＦＩＤタグに用いられるループアンテナとしては、例えば、特許文献１に、ループアンテナに沿ってグランドパターンを形成し、また、このグランドパターンに隣接して電源供給用配線パターンを形成することにより、視認性を向上させ、配線パターンを簡素化できるＲＦＩＤタグ用のアンテナの配線構造が提案されている。
【発明の概要】
【発明が解決しようとする課題】
【０００３】
しかしながら、タグの小型化を可能とするＲＦＩＤチップを用いると、そのチップのチップインピーダンスと共振回路を構成するアンテナパターンも小型となるよう設計されており、無線タグ側において送受信される電力は、ＲＦＩＤチップによる制約を受けてしまうという問題があった。
【０００４】
本発明は、上記に鑑みてなされたものであって、無線タグと無線タグのリーダライタ間で送受信される電力に対する、ＲＦＩＤチップによる制約を解消できる無線タグアンテナおよび無線タグインレットを提供することを目的とする。
【課題を解決するための手段】
【０００５】
上述した課題を解決し、目的を達成するために、本発明は、ＲＦＩＤチップとループアンテナとからなる主ループアンテナと、前記主ループアンテナの近傍に隣接して形成される副ループアンテナとからなる無線タグアンテナであって、前記主ループアンテナと前記副ループアンテナとで構成される共振回路の共振周波数が、前記ＲＦＩＤチップのチップインピーダンスと前記主ループアンテナとで構成される共振回路の共振周波数となるよう設計されたことを特徴とする。
【発明の効果】
【０００６】
本発明によれば、副ループアンテナを設けたことにより、無線タグ側において送受信される電力を大きくすることができる。
【図面の簡単な説明】
【０００７】
【図１】図１は、本発明の一実施の形態にかかる無線タグアンテナ（タグチップを含む）のパターンを示す図である。
【図２】図２は、同実施の形態にかかる無線タグアンテナ（タグチップを含む）の他のパターンを示す図である。
【発明を実施するための形態】
【０００８】
以下に添付図面を参照して、この発明にかかる無線タグアンテナおよび無線タグインレットの実施の形態を詳細に説明する。
【０００９】
図１は、本発明の一実施の形態にかかる無線タグアンテナ（タグチップを含む）のパターンを示す図である。本実施形態では、米インピンジ社のＲＦＩＤチップを採用する。同図右側に示すタグチップ１０ａを含む主ループアンテナ１０は、アイテムレベルタグ用にこのチップを採用した、従来の、タグチップ１０ａとループアンテナ１０ｂとからなる構成となっている。本実施形態の特徴は、従来の構成に、さらに、同図左側に示す、補助アンテナとして無給電ループアンテナ（副ループアンテナ１１）を形成した点にある。この副ループアンテナ１１は、タグチップ１０ａを含む主ループアンテナ１０と高周波的にカップリング（結合）するよう、主ループアンテナ１０に非接触でその近傍に隣接して形成される。なお、同図の符号１２に示す部分は、この無線タグアンテナ（タグチップ１０ａを含む主ループアンテナ１０、および副ループアンテナ１１）が形成されるベースであり、全体で無線タグインレットを構成する。また、タグインレットとは、通常、ＰＥＴフィルム等をベースとし、それにアンテナパターンを印刷又はエッチング等により形成するとともにタグチップを装着したものである。
【００１０】
ループアンテナ１０ｂは、タグチップ１０ａのチップインピーダンスとで構成される共振回路の共振周波数にて共振する。また、副ループアンテナ１１は、そのアンテナパターンの有するインダクタ成分と、主ループアンテナ１０と副ループアンテナ１１間に設けられているギャップによる容量成分により、主ループアンテナ１０と共振回路を構成し、その共振周波数が、上記ループアンテナ１０ｂとタグチップ１０ａのチップインピーダンスとで構成される共振回路の共振周波数となるよう設計される。図１に示す２つのループアンテナは、近傍に配置されているので高周波的にカップリングされ、副ループアンテナ１１で受信した電力が主ループアンテナ１０へ伝達され、主ループアンテナ１０で受信された電力が副ループアンテナ１１に伝達される。
【００１１】
本実施形態では、副ループアンテナ１１を設けることにより、タグとタグのリーダライタ間で送受信される電力を大きくすることができる。したがって、タグが高密度に配置された場所のどこからでも、誤りなくリード／ライトすることが可能となる。なお、図１では、副ループアンテナ１１の形状を、円を基本とする形状としているが、円に限らず任意の形状を採用することができ、どの形状を採用しても、同様の効果を得ることができる。また、図１では、副ループアンテナ１１の大きさを主ループアンテナ１０よりも大きい形状としているが、主ループアンテナ１０よりも小さい形状としてもよく、また、図１では、１つの副ループアンテナ１１を設けているが、例えば、図２に示すように、複数の副ループアンテナ１１’を形成するようにしてもよい。また、本実施形態では、副ループアンテナ１１は主ループアンテナ１０に非接触としたが、接触するように設けても構わない。
【符号の説明】
【００１２】
１０  主ループアンテナ
１０ａ  タグチップ（ＲＦＩＤチップ）
１０ｂ  ループアンテナ
１１，１１’  副ループアンテナ
１２  ベース
【先行技術文献】
【特許文献】
【００１３】
【特許文献１】特開２００５−１３６８３８号公報
【図１】
2010219916.tif 000003
【図２】
2010219916.tif 000004